(57)【要約】    【課題】      簡単な回路構成で、Ｉチャネル信号とＱチャネル信号が直交したアナログベースバンド信号の直流オフセット電圧を除去して信号の帯域制限及び増幅を行うこと。    【解決手段】  直交変調手段１００が第１のＩチャネル信号と第１のＱチャネル信号を変調すると、バンドエリミネートフィルタ１０１が、直交変調手段１００の出力信号に対して帯域制限を行う。さらに、増幅手段１０２が、バンドエリミネートフィルタの出力信号を増幅し、直交復調手段１０３が、増幅手段１０２の出力信号を直交したベースバンド信号である第２のＩチャネル信号と第２のＱチャネル信号へ直交復調する。このとき、バンドエリミネートフィルタ１０１がキャリアリークを除去し、増幅手段１０２が直交変調手段１００の後で信号の増幅を行うことにより、ベースバンド信号の直流オフセット電圧の増加を回避しながら信号の増幅を行うことができる。  【選択図】      図１
2006135879.tif 000002
【特許請求の範囲】
【請求項１】
入力信号を直交変調して帯域制限及び増幅を行う増幅装置であって、
直交したベースバンド信号である第１のＩチャネル信号及び第１のＱチャネル信号を変調する直交変調手段と、
前記直交変調手段の出力信号に帯域制限を行うと共に、前記第１のＩチャネル信号と前記第１のＱチャネル信号の直流オフセット電圧に応じて発生する直交変調出力のキャリアリークを除去するバンドエリミネートフィルタと、
前記バンドエリミネートフィルタの出力信号に増幅を行う増幅手段と、
前記増幅手段の出力信号を直交したベースバンド信号である第２のＩチャネル信号及び第２のＱチャネル信号へ直交復調する直交復調手段と、
を備えたことを特徴とする増幅装置。
【請求項２】
前記直交変調手段と前記直交復調手段との間に、帯域制限を行うローパスフィルタまたはバンドパスフィルタを備えたことを特徴とする請求項１に記載の増幅装置。
【請求項３】
前記増幅手段は、増幅率を可変することができる可変増幅器であることを特徴とする請求項１又は請求項２に記載の増幅装置。
【請求項４】
請求項１乃至請求項３のいずれかに記載の増幅装置を用いたことを特徴とする通信機。
【発明の詳細な説明】
【技術分野】
【０００１】
本発明は、無線通信における受信機に供せられる増幅装置等に関し、特に、入力信号を直交変調して帯域制限及び増幅を行う増幅装置、及びこの増幅装置を用いた通信機に関する。
【背景技術】
【０００２】
従来より、直交したアナログベースバンド信号であるＩチャネル信号及びＱチャネル信号に対して帯域制限及び増幅を行う受信機が知られている（例えば、特許文献１参照）。この技術は、第１のミキサ回路と第２のミキサ回路に入力されるそれぞれのローカル信号の位相差をほぼπ/２（ラジアン）とすることによって、受信機内のローカル信号の漏洩やローカル周波数のアンテナ輻射を少なくして直流オフセット電圧を低減させたものである。
【０００３】
図７は、従来の受信機の一例を示す構成図である。つまり、図７に示す受信機は、ダイレクトコンバージョン受信機(ＺＩＦ（Zero Intermediate Frequency）受信機ともいう)の一例を示すブロック図である。図７において、アンテナ７００が受信した信号を高周波増幅器７０１が増幅し、さらに、高周波増幅器７０１の出力信号を、ミキサ７０２及びミキサ７０３からなる直交復調器によってベースバンド信号であるＩチャネル信号とＱチャネル信号とに変換する。そして、直交復調器の出力信号を帯域制限フィルタ７０４及び帯域制限フィルタ７０５によって帯域制限し、さらに、帯域制限フィルタ７０４、７０５の出力信号を可変増幅器７０６及び可変増幅器７０７で可変増幅し、可変増幅器７０６、７０７の出力信号をＡ／Ｄ変換器７０８及びＡ／Ｄ変換器７０９でアナログ信号からデジタル信号へ変換し、復調器７１０によって復調を行う。このようにして、アナログベースバンド信号の直流オフセット電圧の抑圧を行っている。
【０００４】
また、直交したＩチャネル信号及びＱチャネル信号のアナログベースバンド信号を帯域制限及び増幅を行う受信機に関する別も技術も知られている（例えば、特許文献２参照）。この技術は、直交形に構成された一対の２つのミキサ回路の出力信号に含まれるキャリアリーク成分を検出回路で検出していずれかのミキサ回路へフィードバックすることにより、２つのミキサ回路の直流バランスを補正するものである。したがって、２つのミキサ回路のキャリアリークの発生が大幅に低減されるので、キャリアリークに起因する各種のトラブルを防止することができる。
【０００５】
図８は、直交変調を行う従来の受信機の他の例を示す構成図である。すなわち、この図は、直交したアナログベースバンド信号であるＩチャネル信号とＱチャネル信号を帯域制限及び増幅して、直流オフセット電圧の除去を行う受信機の他の例を示している。図８において、アンテナ８００で受信された信号は、ミキサ８０１、８０２からなる直交復調器によってベースバンド信号であるＩチャネル信号とＱチャネル信号へ変換され、それぞれのチャネルに備えられた直流オフセット電圧除去装置８０３、８０４で直流オフセット電圧が除去される。
【特許文献１】特開２００３−１７４３２９号公報
【特許文献２】特開平７−１１１４７１号公報
【発明の開示】
【発明が解決しようとする課題】
【０００６】
しかしながら、特許文献１に記載された受信機は、Ｉチャネル信号とＱチャネル信号からなるアナログベースバンド信号の直流オフセット電圧を抑圧することによって受信信号のＳ／Ｎ比が低下し、受信信号の品質が劣化してしまうおそれがある。また、ベースバンド信号で帯域制限して増幅することによって、直流オフセット電圧が増加してしまうおそれもある。一方、特許文献２に記載された受信機は、Ｉチャネル信号の系統とＱチャネル信号の系統のそれぞれに備えられた直流オフセット電圧除去装置で直流オフセット電圧の除去を行うため、受信機の回路規模が大きくなってしまうおそれがある。また、この直流オフセット電圧除去装置はアナログ負帰還の回路構成で実現しているため、直流オフセット電圧の除去が完了するまでの収束時間が長くなるおそれもある。さらに、可変増幅器の増幅度を変化させることで、それに応じて直流オフセット電圧を変化させ、再度、直流オフセット電圧の除去を行う必要があるため、回路が複雑になるおそれもある。
【０００７】
本発明はこのような事情に鑑みてなされたものであり、簡単な回路構成で、Ｉチャネル信号とＱチャネル信号が直交したアナログベースバンド信号の直流オフセット電圧を除去して信号の帯域制限及び増幅を行う増幅装置、及びこの増幅装置を用いた通信機を提供することを目的とする。
【課題を解決するための手段】
【０００８】
上記の課題を解決するために、本発明の増幅装置は、入力信号を直交変調して帯域制限及び増幅を行う増幅装置であって、直交したベースバンド信号である第１のＩチャネル信号及び第１のＱチャネル信号を変調する直交変調手段と、直交変調手段の出力信号に帯域制限を行うと共に、第１のＩチャネル信号と第１のＱチャネル信号の直流オフセット電圧に応じて発生する直交変調出力のキャリアリークを除去するバンドエリミネートフィルタと、バンドエリミネートフィルタの出力信号に増幅を行う増幅手段と、増幅手段の出力信号を直交したベースバンド信号である第２のＩチャネル信号及び第２のＱチャネル信号へ直交復調する直交復調手段とを備えた構成を採る。
【０００９】
このような構成によれば、バンドエリミネートフィルタが、第１のＩチャネル信号と第１のＱチャネル信号の直流オフセット電圧に応じて発生する直交変調器出力のキャリアリークを除去し、その後に増幅手段が信号増幅を行い、さらに、直交復調手段が直交復調を行っている。したがって、受信信号の直流オフセット電圧によるＳ／Ｎ比の低下を防いで、直交したベースバンド信号である第１のＩチャネル信号と第２のＱチャネル信号を増幅することができる。
【００１０】
また、本発明の増幅装置は、上記発明の構成に加えて、直交変調手段と直交復調手段の間に帯域制限を行うローパスフィルタ又はバンドパスフィルタを備えて帯域制限を行う構成を採る。
【００１１】
このような構成によれば、第１のＩチャネル信号と第１のＱチャネル信号の直流オフセット電圧の増加を抑制しながら帯域制限を行うことができる。
【００１２】
また、本発明の増幅装置は、上記発明の構成に加えて、前記増幅手段は増幅率を可変することができる可変増幅器とする構成を採る。
【００１３】
このような構成によれば、従来、ベースバンドで行っていた可変増幅を直交変調手段と直交復調手段の間の可変増幅器で行うので、可変増幅器の利得を変化させた場合いおいても、ベースバンド信号の直流オフセット電圧の変化を回避しながら可変増幅を行うことができる。
【００１４】
また、本発明は、上記各発明の増幅装置を用いて構成された送信機や受信機からなる通信機を構築することもできる。
【発明の効果】
【００１５】
本発明の増幅装置によれば、直交したベースバンド信号である第１のＩチャネル信号と第１のＱチャネル信号の直流オフセット電圧に応じて生じる直交復調器の出力のキャリアリークをバンドエリミネートフィルタで除去し、その後に、受信信号の帯域制限と可変増幅を行って、再度、直交変調することにより、直交したベースバンド信号である第２のＩチャネル信号と第２のＱチャネル信号に変換している。これによって、第１のＩチャネル信号と第１のＱチャネル信号に生じる直流オフセット電圧の増加による受信信号のＳ／Ｎ比の低下を抑えて受信特性の劣化を防止することができる。
【００１６】
また、本発明の増幅装置によれば、従来はＩチャネル信号とＱチャネル信号のそれぞれに必要であった直流オフセット電圧除去装置を必要としないため、受信機の回路規模を小型化することができる。さらに、直流オフセット電圧除去装置によって直流オフセット電圧の除去を完了させるまでの収束時間が短縮化されるので、受信機の設計を容易に行うことができる。
【発明を実施するための最良の形態】
【００１７】
本発明の増幅装置は、バンドエリミネートフィルタが、直交したベースバンド信号である第１のＩチャネル信号と第２のＱチャネル信号の直流オフセット電圧に応じて生じる直交変調器出力のキャリアリークを除去する。その後、受信信号の帯域制限及び可変増幅を行って、再度、直交復調を行うことにより、直交したベースバンド信号である第２のＩチャネル信号と第２のＱチャネル信号に変換する。これにより、第１のＩチャネル信号と第１のＱチャネル信号に生じる直流オフセット電圧の増加による受信信号のＳ／Ｎ比の低下を防いでいるので、受信信号の特性劣化を防ぐことができる。また、Ｉチャネル信号とＱチャネル信号のそれぞれに必要であった、直流オフセット電圧除去装置を不要としたので受信機の回路規模の小型化させることができる。さらに、直流オフセット電圧除去装置の直流オフセット電圧除去時間（つまり、収束時間）を短縮化させたので、受信機の設計を簡素化することができる。
【００１８】
以下、図面を用いて、本発明における増幅装置の実施の形態の幾つかを詳細に説明する。尚、各実施の形態に用いる図面において、同一の構成要素は同一の符号を付し、かつ重複する説明は可能な限り省略する。
【００１９】
＜実施の形態１＞
図１は、本発明における実施の形態１の増幅装置の基本構成を示すブロック図である。まず、図１に示す増幅装置の構成について説明する。この増幅装置は、直交したベースバンド信号である第１のＩチャネル信号及び第１のＱチャネル信号を変調する直交変調手段１００と、直交変調手段１００の出力信号に帯域制限を行うと共に、第１のＩチャネル信号と第１のＱチャネル信号の直流オフセット電圧に応じて発生する直交変調出力のキャリアリークを除去するバンドエリミネートフィルタ１０１と、バンドエリミネートフィルタ１０１の出力信号の増幅を行う増幅手段１０２と、増幅手段１０２の出力信号を直交したベースバンド信号である第２のＩチャネル信号と第２のＱチャネル信号へ直交復調する直交復調手段１０３とを備えた構成となっている。
【００２０】
次に、図１に示す増幅装置の動作について説明する。図１に示すように、直交変調手段１００の出力側にバンドエリミネートフィルタ１０１を設けて、ベースバンド信号である第１のＩチャネル信号及び第１のＱチャネル信号の直流オフセット電圧に応じて生じる直交変調器１００の出力信号のキャリアリークを除去する。これによって、直交変調手段１００の入力信号のＳ／Ｎ比の低下を防ぎ、増幅手段１０２によってベースバンド信号の増幅を行うことができる。
【００２１】
ここで、第１のＩチャネル信号と第２のＱチャネル信号の直流オフセット電圧による入力信号のＳ／Ｎ比の低下を防いで信号の増幅を行う方法について説明する。図２は、図１に示す増幅装置に関わる入力信号の増幅方法を示す第１の説明図であり、（ａ）は直交変調手段１００の出力波形、（ｂ）はバンドエリミネートフィルタ１０１の出力波形を示している。また、図３は、図１に示す増幅装置に関わる入力信号の増幅方法を示す第２の説明図であり、（ａ）は直交復調手段１０３の入力波形、（ｂ）は直交復調手段１０３の出力波形を示している。したがって、図１、図２、図３を用いて入力信号の増幅方法を説明する。
【００２２】
直交変調手段１００の出力側では、第１のＩチャネル信号と第１のＱチャネル信号の直流オフセット電圧は、図２（ａ）に示すキャリアリーク２０１に変換され、また、第１のＩチャネル信号と第１のＱチャネル信号は入力信号２０２に変換される。このとき、キャリアリーク２０１は入力信号２０２に重畳して現れる。また、キャリアリークの大きさは第１のＩチャネル信号と第１のＱチャネル信号の直流オフセット電圧の大きさに応じて生じ、入力信号２０２のＳ／Ｎ比は入力信号２０２とキャリアリーク２０１との比となる。
【００２３】
図２（ａ）に示すように、直交変調手段１００の出力側のキャリアリーク２０１を、図２（ｂ）に示すバンドエリミネートフィルタ遮断周波数２０３を有するバンドエリミネートフィルタ１０１によって抑制する。この結果、キャリアリーク２０４は抑制され、入力信号２０５とキャリアリーク２０４との信号比が大きくなる。したがって、入力信号のＳ／Ｎ比が改善されて良好な受信特性を確保することができる。
【００２４】
その後、増幅手段１０２でこの信号（つまり、Ｓ／Ｎ比が改善された入力信号）の増幅を行った後、直交復調手段１０３によってベースバンド信号である第２のＩチャネル信号及び第２のＱチャネル信号に変換（復調）することで、ベースバンドの直流オフセット電圧が増加することを抑制しながら、ベースバンド信号を所望のレベルに増幅することができる。なお、直交変調手段１００と直交復調手段１０３との間に、帯域制限を行うローパスフィルタまたはバンドパスフィルタを備え、直交変調手段１００の後のＩＦ周波数で帯域制限を行う構成としてもよい。これにより、ベースバンドの直流オフセット電圧の増加を抑制しながら帯域制限を行うことができる。
【００２５】
ここで、図３を用いて、直交変調手段１００と直交復調手段１０３との間に設けたローパスフィルタまたはバンドパスフィルタによってＩＦ周波数で帯域制限を行う様子について説明する。なお、この図は、バンドパスフィルタで帯域制限を行う様子を示している。まず、図３（ａ）に示すように、バンドエリミネートフィルタ１０１によるバンドエリミネートフィルタ遮断周波数３０１によってキャリアリーク３０３は除去され、バンドパスフィルタによるバンドパスフィルタ遮断周波数３０２によって入力信号３０４の近傍が帯域制限される。その後、直交復調手段１０３によって、ベースバンド信号である第２のＩチャネル信号と第２のＱチャネル信号に変換することにより、図３（ｂ）に示すように、バンドエリミネートフィルタ１０１とバンドパスフィルタの遮断周波の帯域によって帯域制限され、所望の入力信号３０６を得ることができる。これによって、ベースバンドの直流オフセット電圧の増加を回避しながらベースバンド信号を帯域制限することができる。
【００２６】
なお、図１に示す増幅手段１０２を可変増幅器とする構成としてもよい。このような可変増幅器にすることによって、ベースバンドの直流オフセット電圧の変化を回避しながら入力信号を可変増幅することもできる。
【００２７】
以下、図１及び図２を用いて、第１のＩチャネル信号と第１のＱチャネル信号の直流オフセット電圧の変化を回避しながら、入力信号を可変増幅する方法について説明する。この場合も、前述の増幅度を可変しない増幅手段１０２で説明した場合と同様の動作によって入力信号２０５のＳ／Ｎ比が改善されて受信特性を良好に確保することができる。なお、この間の動作の流れは前述と全く同じであるので、重複を避けるためにその説明は省略する。その後、ＩＦ周波数において増幅手段１０２に対応する可変増幅器で信号の可変増幅を行い、直交復調手段１０３によって第２のＩチャネル信号と第２のＱチャネル信号へ変換する。これによって、可変増幅器の利得を変化させた場合においても、ベースバンド信号の直流オフセット電圧の変化を回避しながら可変増幅を行うことができる。
【００２８】
＜実施の形態２＞
図４は、本発明における実施の形態２の増幅装置の基本構成を示すブロック図である。なお、この図では、増幅装置を用いた受信機の構成を示している。以下、図４を用いて、実施の形態２の受信機について説明するが、まず、受信機の構成について述べる。
【００２９】
図４に示す受信機は、無線信号を受信するアンテナ４０１と、アンテナ４０１が受信した信号を帯域制限するバンドパスフィルタ４０２と、バンドパスフィルタ４０２によって帯域制限された信号を増幅する高周波増幅器４０３と、高周波増幅器４０３によって増幅された信号を直交復調する、ミキサ４０５、４０６からなる第１の直交復調器４０４と、第１の直交復調器４０４に９０度位相差の２つの信号を供給する第１の９０度位相器４０７と、第１の９０度位相器４０７の信号源である第１の局部発振器４０８と、第１の直交復調器４０４の出力の直交したＩチャネル信号とＱチャネル信号をそれぞれ増幅するベースバンド増幅器４０９、４１０と、ベースバンド増幅器４０９、４１０の出力信号をそれぞれ帯域制限するローパスフィルタ４１１、４１２と、ローパスフィルタ４１１、４１２の出力信号を直交変調する、ミキサ４１５、４１６からなる直交変調器４１３と、直交変調器４１３及び後述する第２の直交復調器４２２に９０度位相差の２つの信号を供給する第２の９０度位相器４１７と、第２の９０度位相器４１７の信号源である第２の局部発振器４１８と、直交変調器４１３の出力信号であるＩＦ信号を帯域制限するバンドエリミネートフィルタ４１９と、バンドエリミネートフィルタ４１９によって帯域制限されたＩＦ信号をさらに帯域制限するローパスフィルタ４２０と、ローパスフィルタ４２０によって帯域制限されたＩＦ信号を可変増幅する可変増幅器４２１と、可変増幅器４２１によって可変増幅されたＩＦ信号を直交復調する、ミキサ４２３、４２４からなる第２の直交復調器４２２と、第２の直交復調４２２の出力信号を復調する復調器４２５とを備えた構成となっている。
【００３０】
なお、増幅器４２６は、直交変調器４１３と、第２の９０度位相器４１７と、第２の局部発振器４１８と、バンドエリミネートフィルタ４１９と、ローパスフィルタ４２０と、可変増幅器４２１と、第２の直交復調器４２２とによって構成されている。
【００３１】
図５は、図４に示す実施の形態２における受信機のレベルダイアグラムを示す図である。この図は、横軸に図４に示す各構成要素の項目を表わし、縦軸に信号のレベルを表わしている。したがって、図５を用いて図４に示す受信機のレベルダイアグラムを説明する。なお、図４の各構成要素の符号と、図５のレベルダイアグラムの横軸に示す各構成要素の符号については同一番号が付与されている。
【００３２】
従来は、ベースバンド増幅器４０９、４１０とローパスフィルタ４１１、４１２で大きな利得を得るため、ベースバンド信号であるＩチャネル信号とＱチャネル信号の直流オフセット電圧が増幅されたため、受信信号のＳ／Ｎ比が劣化するという問題があった。そこで、本発明の受信機では、図５のレベルダイアグラムに示すように、バンドパスフィルタ４０２でレベルが減衰した信号を、高周波増幅器４０３、第１の直交復調器４０４で僅かずつ増幅し、さらに、ベースバンド増幅器４０９、４１０で所要の受信感度が得られる最小限の利得設定として僅かに増幅してベースバンド部での直流オフセット電圧の発生を抑える。
【００３３】
さらに、ローパスフィルタ４１１、４１２、直交変調器４１３、バンドエリミネートフィルタ４１９、及びローパスフィルタ４２０では信号レベルを一定に推移させながら、直交変調器４１３の出力側のキャリアリークをバンドエリミネートフィルタ４１９で除去することによって受信信号のＳ／Ｎ比の低下を防いでいる。
【００３４】
そして、受信信号の増幅については、直交変調器４１３の出力信号のＩＦ周波数帯に備えられた可変増幅器４２１により、大きな利得で増幅して信号のレベルを高め、第２の直交復調器４２２によって信号を復調させる。これによって、可変増幅器４２１の利得を変化させた場合においても、ベースバンド信号の直流オフセット電圧の変化を回避しながら可変増幅を行うことができる。また、これによって、従来はＩチャネル信号とＱチャネル信号のそれぞれに必要であった直流オフセット電圧除去装置が不要となるので、受信機の回路規模の小型化を図ることができる。さらに、従来の直流オフセット電圧除去装置は、アナログ負帰還回路で構成されていることから、直流オフセット電圧の除去が完了するまでの時間を示す収束時間が問題となったが、本発発明では、アナログ負帰還回路の直流オフセット電圧除去装置を必要としないため、直流オフセット電圧除去を高速に行うことができると共に、直流オフセット電圧除去のための複雑な制御が必要なくなるので、受信機の設計が簡素化される。
【００３５】
図６は、図４のバンドエリミネートフィルタ４１９の詳細な構成を示す回路図である。したがって、図６を用いて、図４のバンドエリミネートフィルタ４１９の構成についてさらに詳細に説明する。バンドエリミネートフィルタ４１９は、一般的に知られているＴｗｉｎ−Ｔ型バンドエリミネートフィルタを用い構成することができる。バンドエリミネートフィルタ４１９は、Ｔｗｉｎ−Ｔ型バンドエリミネートフィルタ６００の出力段に、バッファアンプ６０１と、このバッファアンプ６０１の出力信号の帰還量を可変させる可変増幅器６０２と、この可変増幅器６０２の出力側に接続されるバッファアンプ６０３とによって構成されている。
【００３６】
可変増幅器６０２の利得を設定することにより、バンドエリミネートフルタ４１９のＱ値を設定することができる。例えば、バッファアンプ６０１と可変増幅器６０２とバッファアンプ６０３の利得が１倍（つまり、ループ利得が１倍）に近づくにつれてＱ値が無限大に大きくなる。よって、可変増幅器６０２の利得設定により、急峻な遮断周波数特性を持ったバンドエリミネートフィルタ４１９を実現することができる。したがって、受信信号が直流から直流近傍に存在する場合は、上記のＴｗｉｎ−Ｔ型のバンドエリミネートフィルタ４１９を用いることで、受信信号の成分の欠落を小さく抑えて、キャリアリークを除去することができる。また、受信信号の成分が直流から直流近傍に存在しない場合は、上記のバンドエリミネートフィルタのＱ値を小さくしてもよい。その場合は上記のＴｗｉｎ−Ｔ型以外のバンドエリミネートフィルタを用いてもよい。
【００３７】
図４のバンドエリミネートフィルタ４１９は、例えば、特開２００４−２３６５２号公報に示されているような遮断周波数が可変できるバンドエリミネートフィルタを用いることで、第２の局部発振器４１８の出力周波数（つまり、キャリアリーク周波数）にバンドエリミネートフィルタ４１９の遮断周波数を自動的に一致させることができる。
【００３８】
これによって、バンドエリミネートフィルタ４１９の集積化時の素子ばらつきや温度特性の影響により、バンドエリミネートフィルタ４１９の遮断周波数が変動した場合においても、キャリアリークをバンドエリミネートフィルタ４１９で適切に除去することができる。よって、図４に示すような構成により、受信機ごとに個別調整を行う必要がなくなるので増幅装置や受信機の生産性が一段と向上する。
【００３９】
なお、上記の実施の形態２は、受信機に本発明の増幅装置を適用したものであるが、本発明の増幅装置を送信機に用いてもよい。また、本発明の増幅装置を受信機と送信機とに組み合わせて使用して通信機を構成してもよい。このようにすることによって、直流オフセット電圧の影響を回避した受信機、送信機、及び通信機を構築することができる。
【産業上の利用可能性】
【００４０】
本発明にかかる増幅装置は、簡易な回路構成で、直流オフセット電圧の増加による受信信号のＳ／Ｎ比の低下を抑えて受信信号の特性劣化を防ぐことができると共に、直流オフセット電圧除去の収束時間を短縮化することができる。したがって、本発明によれば、直交したアナログベースバンド信号を帯域制限及び増幅する増幅装置を備えた無線通信における受信機に供せられる増幅装置として有効に利用することができる。
【図面の簡単な説明】
【００４１】
【図１】本発明における実施の形態１の増幅装置の基本構成を示すブロック図
【図２】本発明の実施の形態１に関わる入力信号の増幅方法を示す第１の説明図
【図３】本発明の実施の形態１に関わる入力信号の増幅方法を示す第２の説明図
【図４】本発明における実施の形態２の増幅装置の基本構成を示すブロック図
【図５】図４に示す実施の形態２における受信機のレベルダイアグラムを示す図
【図６】図４のバンドエリミネートフィルタの詳細な構成を示す回路図
【図７】直交変調を行う従来の受信機の一例を示す構成図
【図８】直交変調を行う従来の受信機の他の例を示す構成図
【符号の説明】
【００４２】
１００  直交変調手段
１０１  バンドエリミネートフィルタ
１０２  増幅手段
１０３  直交復調手段
２０１、２０４、３０３、３０５  キャリアリーク
２０２、２０５、３０４、３０６  入力信号
２０３、３０１  バンドエリミネートフィルタ遮断周波数
３０２  バンドパスフィルタ遮断周波数
４０１  アンテナ
４０２  バンドパスフィルタ
４０３  高周波増幅器
４０４  第１の直交復調器
４０５、４０６、４１５、４１６、４２３、４２４  ミキサ
４０７  第１の９０度位相器
４０８  第１の局部発振器
４０９、４１０  ベースバンド増幅器
４１１、４１２、４２０  ローパスフィルタ
４１３  直交変調器
４１７  第２の９０度位相器
４１８  第２の局部発振器
４１９  バンドエリミネートフィルタ
４２１  可変増幅器
４２２  第２の直交復調器
４２５  復調器
６００  Ｔｗｉｎ−Ｔ型バンドエリミネートフィルタ
６０１、６０３  バッファアンプ
６０２  可変増幅器
【図１】
2006135879.tif 000003
【図２】
2006135879.tif 000004
【図３】
2006135879.tif 000005
【図４】
2006135879.tif 000006
【図５】
2006135879.tif 000007
【図６】
2006135879.tif 000008
【図７】
2006135879.tif 000009
【図８】
2006135879.tif 000010